(57)【要約】      （修正有）【課題】定期的に、布団について殺菌消毒や乾燥を行うだけでなく、自動的に布団を折り畳むことができる殺菌消毒布団折り畳み収納器を提供する。【解決手段】加熱ケーシング１１と殺菌消毒ユニット１２が備えられ、加熱ケーシングに、上ケーシング１１１と下ケーシング１１２があり、上ケーシングと下ケーシングの一端が、可動的に枢着され、もう一端が、上下ケーシングの対向して開閉することにより、開口を形成する。殺菌消毒ユニットが、加熱ケーシング内に設置され、殺菌消毒ユニットと加熱ケーシングとの間に、布団を収納するための殺菌空間が形成され、加熱ケーシングに、回転可能の加熱導管１１４がセットされ、布団を折り畳んだ状態で、布団に対して均一的に加熱でき、殺菌消毒ユニットに、自動制御器１５によって制御された殺菌装置があり、布団に対して高度な殺菌処理を行い、細菌繁殖や寝具の不衛生による交差感染と細菌伝搬を防止できる。【選択図】図１
0003191761.tif 000002
【実用新案登録請求の範囲】
【請求項１】
加熱ケーシングと殺菌消毒ユニットが備えられ、上記加熱ケーシングに、上ケーシングと下ケーシングがあり、上ケーシングと下ケーシングとの一端が、可動的に枢着され、上ケーシングのもう一端と下ケーシングのもう一端により、可動的な開口が構成され、上記上ケーシングと下ケーシングに、枠体と加熱導管があり、枠体が、上記開口において、湾曲され、上ケーシングの湾曲部と下ケーシングの湾曲部とにより、布団を折り畳むことに適合する円弧が形成され、上記殺菌消毒ユニットが、加熱ケーシング内に設置され、殺菌消毒ユニットと加熱ケーシングとの間に、布団を収納するための殺菌空間が形成され、上記殺菌消毒ユニットが、ステンシルからなる中間層と層板からなる上下両層板とから構成され、両層板が、上板と下板になり、上板と下板に、若干の殺菌消毒管が嵌入され、上記殺菌消毒管内に、紫外線発生器がセットされ、上記殺菌消毒ユニットにおいて、開口に対応する位置に、布団を折り畳むことに適合する湾曲が形成される、
ことを特徴とする殺菌消毒布団折り畳み収納器。
【請求項２】
上記殺菌空間は、上殺菌空間と下殺菌空間とに分けられ、上記上殺菌空間は、殺菌消毒ユニットと上ケーシングから構成され、下殺菌空間は、殺菌消毒ユニットと下ケーシングとから構成されることを特徴とする請求項１に記載の殺菌消毒布団折り畳み収納器。
【請求項３】
上記上ケーシングと下ケーシングとが、可動的に枢着された箇所に、自動制御器がセットされ、殺菌消毒ユニットが、自動制御器に接続されて、自動制御器の電子信号によって制御されて駆動されることを特徴とする請求項１に記載の殺菌消毒布団折り畳み収納器。
【請求項４】
上記加熱導管のステンシルは、枠体に嵌入されて、加熱導管が、自動制御器によって調整制御されることを特徴とする請求項３に記載の殺菌消毒布団折り畳み収納器。
【考案の詳細な説明】
【技術分野】
【０００１】
本考案は、日常生活のベット用品に関し、特に、ベット用品を、殺菌消毒することや折り畳むことができる製品に関する。
【背景技術】
【０００２】
人々の生命は、三分の一の時間が、睡眠に使われ、睡眠品質や睡眠環境は、人々にとって極めて重要であり、ベッドや布団等の寝具は、睡眠用品として、その重要さを言わなくでも明白なことである。一般の人の睡眠時間は、６から１０時間になり、睡眠過程において、呼吸や代謝が必要となり、そのため、睡眠過程において、汗かきや代謝が続くため、寝具に、細菌や汗液が残され、温暖且つ湿潤になった寝具に、容易に、細菌が繁殖し、長期的に寝具の清潔殺菌することをしなければ、人体の健康に悪影響を与える。
【０００３】
公衆環境の寝具は、例えば、ホテルや病院及び交通機関等の公衆サービスシステムの寝具は、その衛生処理が、重大の問題であり、交差感染や細菌伝搬を防止するため、上記らの公衆サービス環境の寝具に対して、より厳密に管理して、殺菌消毒処理を徹底的に行わなければならない。
【０００４】
本実用新案者は、上記欠点を解消するため、慎重に研究し、また、学理を活用して、有効に上記欠点を解消でき、設計が合理である本実用新案を提案する。
【考案の開示】
【考案が解決しようとする課題】
【０００５】
本考案は、上記の問題について、寝具に対して、殺菌消毒を行う布団折り畳み収納器を提案し、定期的に、布団について、殺菌消毒や乾燥を行うことだけでなく、自動的に布団を折り畳むことができる。
【課題を解決するための手段】
【０００６】
本考案による殺菌消毒布団折り畳み収納器は、加熱ケーシングと殺菌消毒ユニットとがあり、上記加熱ケーシングは、上ケーシングと下ケーシングとからなり、上ケーシングと下ケーシングの一端が、可動的に枢着され、上ケーシングのもう一端と下ケーシングのもう一端により、可動的な開口が構成され、上記上ケーシングと下ケーシングとは、枠体と加熱導管とがあり、枠体は、上記開口において、湾曲され、上ケーシングの湾曲部と下ケーシングの湾曲部により、布団を折り畳むことに適合する円弧が形成され、枠体内のステンシルに、若干の加熱導管が嵌入され、加熱導管は、自動制御器によって調整制御され、上記加熱導管は、自身の軸線を軸として回転できるように、枠体内に嵌入され、上記殺菌消毒ユニットは、加熱ケーシング内に設置され、殺菌消毒ユニットは、加熱ケーシングとの間に、布団を収納する殺菌空間が形成され、上記殺菌消毒ユニットは、ステンシルである中間層と層板である上下両層からなり、両層板は、それぞれ、上板と下板になり、上板と下板に、若干の殺菌消毒管が嵌入され、上記殺菌消毒管内に、紫外線発生器がセットされ、上記殺菌消毒ユニットは、開口に対応した位置に、布団を折り畳むことに適合するように、湾曲される。
【０００７】
上記殺菌空間は、上殺菌空間と下殺菌空間との二部分に分けられ、上記上殺菌空間は、殺菌消毒ユニットと上ケーシングから構成され、下殺菌空間は、殺菌消毒ユニットと下ケーシングから構成される。
【０００８】
本考案に係る殺菌消毒布団折り畳み収納器は、加熱ケーシングと殺菌消毒ユニットが備えられ、その中、加熱ケーシングに、回転可能な加熱導管がセットされ、布団を折り畳んだ状況で、布団に対して、均一に加熱することができ、殺菌消毒ユニットに、自動制御器によって制御される殺菌装置がセットされ、布団に対して、高度的に殺菌処理を行い、細菌繁殖や寝具の不衛生による交差感染や細菌伝搬を防止できる。
【０００９】
以下、図面を参照しながら、本実用新案の特徴や技術内容について、詳しく説明するが、それらの図面等は、参考や説明のためであり、本実用新案は、それによって制限されることが無い。
【考案を実施するための最良の形態】
【００１０】
図１のように、殺菌消毒布団折り畳み収納器１０は、加熱ケーシング１１と殺菌消毒ユニット１２が備えられ、上記加熱ケーシング１１は、上ケーシング１１１と下ケーシング１１２とに分けられ、上ケーシング１１１と下ケーシング１１２の一端が、可動的に枢着され、図から、上記上ケーシング１１１と下ケーシング１１２との間に、一つの可動的なヒンジにより接続され、互いに、回転して開閉でき、また、上ケーシングのもう一端と下ケーシングのもう一端は、それぞれ、上下ケーシングの対応して開閉する開口１３になり、上記上ケーシングと下ケーシングには、枠体１１３と加熱導管１１４があり、上記枠体は、上記開口の箇所において湾曲され、上ケーシングの湾曲部と下ケーシングの湾曲部により、布団を折り畳むことに適合する円弧が構成され、上記殺菌消毒ユニット１２は、加熱ケーシング１１内に設置され、殺菌消毒ユニットと加熱ケーシングとの間に、布団を収納する殺菌空間１４が形成され、上記殺菌消毒ユニット１２は、ステンシルからなる中間層と層板からなる上下両層板とによって構成され、両層板が、それぞれ、上板１２１と下板１２２になり、上板１２１と下板１２２は、ともに、若干の殺菌消毒管１２３が嵌入され、上記殺菌消毒管１２３内に、紫外線発生器がセットされ、上記殺菌消毒ユニット１２は、開口に対応した箇所に、布団を折り畳むことに適合するように、湾曲される。殺菌消毒ユニット１２にも、オゾン発生装置がセットされてもよく、オゾン発生装置で、殺菌や消毒を行い、また、他の常用な殺菌消毒装置を殺菌消毒ユニット１２に設置してもよい。
【００１１】
上記殺菌空間１４は、上殺菌空間１４１と下殺菌空間１４２の二部に分けられ、上記上殺菌空間１４１は、殺菌消毒ユニット１２と上ケーシング１１１から構成され、下殺菌空間１４２は、殺菌消毒ユニット１２と下ケーシング１１２から構成される。接続された上ケーシング１１１と下ケーシング１１２を回転することにより、開口から加熱ケーシングが開かれ、布団を、殺菌空間に収納し、布団の一部が、上殺菌空間１４１に位置して、もう一部が、下殺菌空間１４２に位置し、その後、開口を閉めて、加熱と殺菌を行う。
【００１２】
上記上ケーシング１１１と下ケーシング１１２は、可動的に枢着された箇所に、自動制御器１５を有し、殺菌消毒ユニット１２は、自動制御器１５に接続されて、自動制御器１５の電子信号によって制御駆動される。自動制御器１５の内部に、インテリジェント調整制御チップがあり、自動制御器に内蔵された温度検知器と紫外線発生器制御スイッチに合わせて、殺菌消毒布団折り畳み収納器に対して、布団の加熱や殺菌を行うように、制御や調節させ、自動制御器に、ボタンがあり、ボタンで、加熱や消毒或いは温度調節をスイッチングできる。
【００１３】
加熱ケーシングの上ケーシング１１１は、下ケーシング１１２の構成と同じであり、枠体１１３と加熱導管１１４があり、枠体１１３は、開口１３の箇所において、湾曲され、上ケーシング１１１の湾曲部と下ケーシング１１２の湾曲部により、布団を折り畳むことに適合する円弧が形成され、枠体１１３内のステンシルに、若干の加熱導管１１４が嵌入され、加熱導管１１４が、自動制御器１５によって調整制御され、上記加熱導管１１４は、自身軸線を軸として回転できるように、枠体内に嵌入される。加熱ケーシングの上ケーシングと下ケーシングは、開口から開かれると、その殺菌消毒ユニットが露出し、布団を、それぞれ、殺菌消毒ユニットと上ケーシングとから、そして、殺菌消毒と下ケーシングとからなる殺菌空間にセットされた後、布団は、上ケーシング１１１と下ケーシング１１２との湾曲により、自然的且つスムーズに折り畳まれ、加熱導管１１４をオンして、加熱させ、また、加熱導管は、加熱する時、ともに、回転でき、そのため、温度を所定のレベルに制御しながら、布団に対して、均一的に加熱することができる。
【００１４】
本考案によれば、必要に応じて、消毒せず、加熱するだけのモードを選択でき、布団を、加熱ケーシングの外にセットして、湾曲部により折り畳まれ、作動モードを選択して、自動制御器１５のボタンだけで、布団に対して紫外線殺菌しなく、加熱だけを行うことができる。
【００１５】
本考案に係る殺菌消毒布団折り畳み収納器は、加熱ケーシングと殺菌消毒ユニットとが備えられ、加熱ケーシングは、回転可能な加熱導管がセットされ、布団を折り畳んだ状態で、布団に対して、均一的に加熱することができ、殺菌消毒ユニットには、自動制御器によって制御される殺菌装置があり、布団に対して、高度な殺菌処理を行い、細菌繁殖や寝具の不衛生による交差感染と細菌伝搬を防止できる。
【００１６】
そのため、本実用新案は、より進歩的かつより実用的で、法に従って実用新案登録請求を出願する。
【００１７】
以上は、ただ、本実用新案のより良い実施例であり、本実用新案は、それによって制限されることが無く、本実用新案に係わる実用新案登録請求の範囲や明細書の内容に基づいて行った等価の変更や修正は、全てが、本実用新案の実用新案登録請求の範囲内に含まれる。
【図面の簡単な説明】
【００１８】
【図１】本考案に係る殺菌消毒布団折り畳み収納器の構成図
【図２】本考案に係る殺菌消毒布団折り畳み収納器が開かれた時の状態図
【図３】本考案に係る殺菌消毒布団折り畳み収納器の側面図
【符号の説明】
【００１９】
１０  殺菌消毒布団折り畳み収納器
１１  加熱ケーシング
１１１  上ケーシング
１１２  下ケーシング
１１３  枠体
１１４  加熱導管
１２  殺菌消毒ユニット
１２１  上板
１２２  下板
１２３  殺菌消毒管
１３  開口
１４  殺菌空間
１４１  上殺菌空間
１４２  下殺菌空間
１５  自動制御器
【図１】
0003191761.tif 000003
【図２】
0003191761.tif 000004
【図３】
0003191761.tif 000005